(57)【要約】【課題】複写装置による複製の作製を防止する電子ペーパーを提供する。【解決手段】本発明の電子ペーパー１０は、表示部１１０と、前記表示部１１０に表示させる表示データと前記表示データに著作権があることを現す著作権フラグとを記憶する表示情報記憶部１５０と、複製の作成を検知する光センサ１３０などの検知手段と、を有し、前記表示部１１０で著作権フラグがついた表示データを表示中に、前記検知手段が複製の作成を検知すると、前記表示部１１０における表示を変更することを特徴とする。【選択図】図２
2010186005.tif 000002
【特許請求の範囲】
【請求項１】
表示部と、
前記表示部に表示させる表示データと前記表示データに著作権があることを現す著作権フラグとを記憶する表示情報記憶部と、
複製の作成を検知する検知手段と、を有し、
前記表示部で著作権フラグがついた表示データを表示中に、前記検知手段が複製の作成を検知すると、前記表示部における表示を変更することを特徴とする電子ペーパー。
【請求項２】
前記前記表示部における表示の変更が、表示の消去であることを特徴とする請求項１に記載の電子ペーパー。
【請求項３】
前記前記表示部における表示の変更が、定型画像への表示変更であることを特徴とする請求項１又は請求項２に記載の電子ペーパー。
【請求項４】
光センサが設けられており、前記検知手段は前記光センサからの情報に基づいて複製の作成を検知することを特徴とする請求項１乃至請求項３のいずれか１項に記載の電子ペーパー。
【請求項５】
前記光センサが前記表示部の両端近傍に配されることを特徴とする請求項４に記載の電子ペーパー。
【請求項６】
前記光センサが前記表示部の対角近傍に複数配されることを特徴とする請求項４又は請求項５に記載の電子ペーパー。
【請求項７】
前記光センサが所定以上の明るさを検出することを特徴とする請求項４乃至請求項６のいずれか１項に記載の電子ペーパー。
【請求項８】
傾斜センサが設けられており、前記検知手段は前記傾斜センサからの情報に基づいて複製の作成を検知することを特徴とする請求項１乃至請求項７のいずれか１項に記載の電子ペーパー。
【発明の詳細な説明】
【技術分野】
【０００１】
本発明は、表示部における画面表示内容を書き換えることが可能に構成された電子ペーパーに関する。
【背景技術】
【０００２】
紙媒体である用紙にとって代わることが可能な表示媒体として、画像情報を表示部に無電源や小電力で表示保持することができ、しかも、用紙の如く薄型で持ち運び自在である電子ペーパーが開発されている。
【０００３】
電子ペーパーは、無電源や小電力で画像を表示保持する表示部を有した表示装置であり、例えば、電子データに基づいて自己で画像を表示部に書き込む機能を有する自己書き込み型電子ペーパーや、投影された画像を表示部に保持する光書き込み型電子ペーパーなどがある。
【０００４】
このような電子ペーパーは、用紙と異なって表示部に表示保持した画像を消去したり上書きすることが可能であり、表示保持する画像を更新したり消去して、書き換え可能で繰り返し使用することができるので紙資源の節約等の観点からも利用促進が望まれている。電子ペーパーについては、例えば、特許文献１（特開２００８−２６８５７２号公報）などに開示がなされている。
【特許文献１】特開２００８−２６８５７２号公報
【発明の概要】
【発明が解決しようとする課題】
【０００５】
しかしながら、従来の電子ペーパーでは、著作権があるデータを表示させているときでも、コピーなどの複写装置によって簡単に複製を作ることができてしまい、著作権の侵害を助長する恐れがあり、問題であった。
【課題を解決するための手段】
【０００６】
本発明は上記のような問題を解決するために、本発明に係る電子ペーパーは、表示部と、前記表示部に表示させる表示データと前記表示データに著作権があることを現す著作権フラグとを記憶する表示情報記憶部と、複製の作成を検知する検知手段と、を有し、前記表示部で著作権フラグがついた表示データを表示中に、前記検知手段が複製の作成を検知すると、前記表示部における表示を変更することを特徴とする。
【０００７】
また、本発明に係る電子ペーパーは、前記前記表示部における表示の変更が、表示の消去であることを特徴とする。
【０００８】
また、本発明に係る電子ペーパーは、前記前記表示部における表示の変更が、定型画像への表示変更であることを特徴とする。
【０００９】
また、本発明に係る電子ペーパーは、光センサが設けられており、前記検知手段は前記光センサからの情報に基づいて複製の作成を検知することを特徴とする。
【００１０】
また、本発明に係る電子ペーパーは、前記光センサが前記表示部の両端近傍に配されることを特徴とする。
【００１１】
また、本発明に係る電子ペーパーは、前記光センサが前記表示部の対角近傍に複数配さ
れることを特徴とする。
【００１２】
また、本発明に係る電子ペーパーは、前記光センサが所定以上の明るさを検出することを特徴とする。
【００１３】
また、本発明に係る電子ペーパーは、傾斜センサが設けられており、前記検知手段は前記傾斜センサからの情報に基づいて複製の作成を検知することを特徴とする。
【００１４】
以上、本発明の電子ペーパーによれば、表示部で著作権フラグがついた表示データを表示中に、検知手段が複製の作成を検知すると、前記表示部における表示を変更するので、コピーなどの複写装置によって複製を作ることを防止することが可能となる。
【図面の簡単な説明】
【００１５】
【図１】本発明の実施形態に係る電子ペーパーを斜視的示す図である。
【図２】本発明の実施形態に係る電子ペーパーのブロック構成の概要を示す図である。
【図３】本発明の実施形態に係る電子ペーパーの表示情報記憶部におけるデータ構造を示す図である。
【図４】本発明の実施形態に係る電子ペーパーの表示処理のフローチャートを示す図である。
【図５】本発明の他の実施形態に係る電子ペーパーの表示例を示す図である。
【図６】本発明の実施形態に係る電子ペーパーのコピー検知処理サブルーチンのフローチャートを示す図である。
【図７】コピー検知処理の原理を示す図である。
【図８】本発明の他の実施形態に係る電子ペーパーのブロック構成の概要を示す図である。
【図９】本発明の他の実施形態に係る電子ペーパーのコピー検知処理サブルーチンのフローチャートを示す図である。
【図１０】本発明の他の実施形態に係る電子ペーパーを示す図である。
【発明を実施するための形態】
【００１６】
以下、本発明の実施の形態を図面を参照しつつ説明する。なお、以下、本発明については電子ペーパーを例にとり説明するが、電子ペーパーのように可搬性があり、複写装置の原稿台に載せ得る表示装置なども本発明の電子ペーパーの概念に含むものである。
【００１７】
図１は本発明の実施形態に係る電子ペーパーを斜視的示す図であり、図２は本発明の実施形態に係る電子ペーパーのブロック構成の概要を示す図である。図１及び図２において、１０は電子ペーパー、１００は主制御部、１１０は表示部、１２０は操作部、１３０は光センサ、１５０は表示情報記憶部、１６０はインターフェイス部をそれぞれ示している。
【００１８】
本発明に係る電子ペーパー１０の表示部１１０としては、種々の方式のものを用いることができる。例えば、帯電された粒子を移動させて表示を切り替える電気泳動方式のもの、帯電された粒子を回転させて表示を切り替える粒子回転方式のもの、磁気により粒子を移動させて表示を切り替える磁気泳動方式のもの、小型バッテリ駆動の薄型の液晶やＥＬ素子による表示方式のもの、強誘電液晶に代表されるメモリ性のある液晶による表示方式のものなどを適宜電子ペーパー１０の表示部１１０として採用することができる。
【００１９】
電子ペーパー１０の主制御部１００は、ＣＰＵとＣＰＵ上で動作するプログラムを保持するＲＯＭとＣＰＵのワークエリアであるＲＡＭなどからなる汎用の情報処理機構である
。主制御部１００は、ブロック図中に示されている主制御部１００と接続される各構成と協働・動作する。例えば、表示情報記憶部１５０に記憶される表示用のデータに基づいて、表示部１１０の表示を変更したりする。また、本発明の電子ペーパーにおける種々の制御処理は、主制御部１００内のＲＯＭなどの記憶手段に記憶保持されるプログラムやデータに基づいて実行されるものである。
【００２０】
操作部１２０はボタンスイッチなどで構成され、この操作部１２０をユーザーが操作することで、電子ペーパー１０により表示する表示データの選択などを行い得るようになっている。
【００２１】
光センサ１３０は、表示部１１０の両端の対角近傍に複数設けられており、複写装置などのスキャン用光源レベルの、明るさが所定以上の光を検出するようになっている。光センサ１３０は電子ペーパー１０一端から他端に向かってＮ１→Ｎ２→Ｎ３となるように配置され、また、他端から一端に向かってＮ１'→Ｎ２'→Ｎ３'となるように配置されてい
ている。本実施形態では、対角近傍に３つの光センサを設けるように構成しているが、２つ以上の光センサであればいくつであっても構わない。
【００２２】
表示情報記憶部１５０は表示部１１０に表示させるための表示データを記憶する不揮発性のメモリであり、インターフェイス部１６０からのアクセスに基づいて表示情報記憶部１５０の記憶内容の書き換えを行うことができるように構成されている。図３は本発明の実施形態に係る電子ペーパーの表示情報記憶部１５０におけるデータ構造を示す図である。表示情報記憶部１５０に記憶される表示データのそれぞれには、著作権フラグが付されており、著作権を有する表示データにはフラグ「１」がたてられており、著作権のない表示データにはフラグがたてられていない。
【００２３】
次に、以上のように構成される本実施形態に係る電子ペーパー１０の表示処理について説明する。図４は本発明の実施形態に係る電子ペーパーの表示処理のフローチャートを示す図である。図４において、電子ペーパー１０の起動などによりステップＳ１００で表示処理が開始されると、次にステップＳ１０１に進み、表示情報記憶部１５０を参照して、表示部１１０で表示しようとしている表示ページには著作権フラグがたてられているか否かが判定される。ステップＳ１０１における判定の結果がＮＯであればステップＳ１０２に進み、当該表示用データを表示する。ステップＳ１０３では、不図示の電源がＯＦＦされたかが判定され、判定がＹＥＳであるとステップＳ１０７に進み処理を終了する。
【００２４】
一方、ステップＳ１０１における判定の結果がＹＥＳであれば、ステップＳ１０４に進みコピー検知処理のサブルーチンが実行される。ステップＳ１０５では、先のサブルーチンによってコピーが検知されたか否かが判定される。ステップＳ１０５における判定がＮＯであれば、ステップＳ１０２に進み、データの表示を行う。ステップＳ１０５における判定がＹＥＳであれば、ステップＳ１０６に進み、表示部１１０の表示を消去する。このように、本実施形態では、表示データが著作権を有するものであるとき、コピー検知処理で複製の作製が検知されると、表示部１１０の表示を消去するので、表示部１１０における表示を変更（消去）するので、コピーなどの複写装置によって複製を作ることを防止することが可能となる。
【００２５】
図５は本発明の他の実施形態に係る電子ペーパーの表示例を示す図である。図４に示す実施形態では、ステップＳ１０６において、コピー検知処理で複製の作製が検知されると、表示部１１０の表示を消去するものであったが、図５に示す実施形態では、表示部１１０の表示を消去する代わりに、図５に示すような定型画像（「このデータを複製することは法律で禁止されています」などのメッセージの画像）の表示を行うものである。このような実施形態によっても先の実施形態と同様の効果を得ることができると共に、前記メッ
セージによりユーザーに著作権遵守の精神を喚起させることができるものと期待することができる。
【００２６】
次に、コピー検知処理のサブルーチンについてより詳しく説明する。図６は本発明の実施形態に係る電子ペーパーのコピー検知処理サブルーチンのフローチャートを示す図である。また、図７はコピー検知処理を行う際の状況を示す図である。図７は電子ペーパー１０の表示画面の複製を作製しようとして、コピー機の原稿台に電子ペーパー１０を載置したときの状況である。このとき、本発明の電子ペーパー１０は、主として光センサ１３０によって、コピー機のスキャン用光源を検知することによって、複製作成の意図を検知するものである。
【００２７】
図６のステップＳ２００でコピー検知処理サブルーチンがスタートすると、次にステップＳ２０１で、Ｎ１（Ｎ１’）乃至Ｎ３（Ｎ３’）の光センサ１３０からの信号を取得すると共に、この信号のログをとる。
【００２８】
ステップＳ２０２では、Ｎ１（Ｎ１’）乃至Ｎ３（Ｎ３’）の光センサ１３０からの全信号が「暗」であるかが判定される。このステップは、コピー機の原稿台に電子ペーパー１０が載置され、原稿台カバーが閉じられたときの状況を判定するものである。ステップＳ２０２における判定がＹＥＳであるときには、ステップＳ２０５に進みコピーを検知とし、続くステップＳ２０６でメインルーチンにリターンする。
【００２９】
ステップＳ２０２における判定がＮＯであるときには、ステップＳ２０３に進み、光センサ１３０からの信号取得及び信号ログによって、Ｎ１（Ｎ１’）からＮ３（Ｎ３’）に「明」が移動しているかを判定する。これは、コピー機の原稿台に電子ペーパー１０が載置され、コピー機のスキャン用光源でスキャンされているか否かを判定するステップである。ステップＳ２０３の判定がＹＥＳであるときには、ステップＳ２０５に進みコピーを検知とし、続くステップＳ２０６でメインルーチンにリターンする。ステップＳ２０３の判定がＮＯであるときにはステップＳ２０４に進み、コピーは検知していないものとしてステップＳ２０６でメインルーチンにリターンする。本実施形態では、このようなコピー検知処理のサブルーチンによって、コピー機による複製作製を検知し、この検知結果に基づき、表示を変更するので、著作権のあるデータのコピー機による複製を防止することが可能となる。
【００３０】
次に本発明の他の実施形態について説明する。図８は本発明の他の実施形態に係る電子ペーパーのブロック構成の概要を示す図であり、図９は本発明の他の実施形態に係る電子ペーパーのコピー検知処理サブルーチンのフローチャートを示す図である。図において、先の実施形態と同様の参照番号が付された構成については同様のものを示しているので説明を省略する。本実施形態に係る電子ペーパー１０’には、さらに傾斜センサ１４０が設けられており、この傾斜センサ１４０によって電子ペーパー１０’の傾斜を検出する点が先の実施形態と異なる点である。本実施形態では、この傾斜センサ１４０の検出情報も用いることによって、より正確にコピー機による複製作製を検知することが可能となる。
【００３１】
本実施形態のメインの表示処理に係るフローチャートは先の実施形態と同様であるので、サブルーチンのフローチャートについて説明する。図９は本発明の他の実施形態に係る電子ペーパーのコピー検知処理サブルーチンのフローチャートを示す図である。
【００３２】
図９のステップＳ３００でコピー検知処理サブルーチンがスタートすると、ステップＳ３０１で、傾斜センサ１４０からの情報に基づいて表示部１１０が下向きとなっているか否かが判定される。このステップの判定がＮＯであればステップＳ３０５に進み、コピーは検知していないものとしてステップＳ３０７でメインルーチンにリターンする。
【００３３】
次にステップＳ３０２で、Ｎ１（Ｎ１v）乃至Ｎ３（Ｎ３’）の光センサ１３０からの
信号を取得すると共に、この信号のログをとる。
【００３４】
ステップＳ３０３では、Ｎ１（Ｎ１’）乃至Ｎ３（Ｎ３’）の光センサ１３０からの全信号が「暗」であるかが判定される。このステップは、コピー機の原稿台に電子ペーパー１０が載置され、原稿台カバーが閉じられたときの状況を判定するものである。ステップＳ３０３における判定がＹＥＳであるときには、ステップＳ３０６に進みコピーを検知とし、続くステップＳ３０７でメインルーチンにリターンする。
【００３５】
ステップＳ３０３における判定がＮＯであるときには、ステップＳ３０４に進み、光センサ１３０からの信号取得及び信号ログによって、Ｎ１（Ｎ１’）からＮ３（Ｎ３’）に「明」が移動しているかを判定する。これは、コピー機の原稿台に電子ペーパー１０が載置され、コピー機のスキャン用光源でスキャンされているか否かを判定するステップである。ステップＳ３０４の判定がＹＥＳであるときには、ステップＳ３０６に進みコピーを検知とし、続くステップＳ３０７でメインルーチンにリターンする。ステップＳ３０４の判定がＮＯであるときにはステップＳ３０５に進み、コピーは検知していないものとしてステップＳ３０７でメインルーチンにリターンする。本実施形態では、このようなコピー検知処理のサブルーチンによって、光センサからの情報と傾斜センサからの情報を併せて、コピー機による複製作製をより正確に検知し、この検知結果に基づき、表示を変更するので、著作権のあるデータのコピー機による複製を防止することが可能となる。
【００３６】
次に本発明の他の実施形態について説明する。図１０は本発明の他の実施形態に係る電子ペーパー１０''を示す図である。本実施形態が先の実施形態と異なる点は、表示部１１０の四隅の近傍の全てに、光センサ１３０が複数設けられている点である。このような実施形態によれば電子ペーパー１０はＸ方向のスキャン用光源の移動を検知することができるのみならず、Ｙ方向のスキャン用光源の移動をも検知することが可能となる。このような実施形態によれば、Ｘ、Ｙ両方向からの被スキャン状況を検出し、これによりコピー機による複製作製をより正確に検知し、この検知結果に基づき、表示部１１０での表示を変更するので、著作権のあるデータのコピー機による複製を防止することが可能となる。
【００３７】
なお、本明細書においては、種々の実施の形態について説明したが、それぞれの実施の形態の構成を適宜組み合わせて構成された実施形態も本発明の範疇となるものである。
【符号の説明】
【００３８】
１０・・・電子ペーパー、１００・・・主制御部、１１０・・・表示部、１２０・・・操作部、１３０・・・光センサ、１４０・・・傾斜センサ、１５０・・・表示情報記憶部、１６０・・・インターフェイス部
【図１】
2010186005.tif 000003
【図２】
2010186005.tif 000004
【図３】
2010186005.tif 000005
【図４】
2010186005.tif 000006
【図５】
2010186005.tif 000007
【図６】
2010186005.tif 000008
【図７】
2010186005.tif 000009
【図８】
2010186005.tif 000010
【図９】
2010186005.tif 000011
【図１０】
2010186005.tif 000012